(57)【要約】      （修正有）【課題】既に必要項目が記入されている書類を読み取って、この書類から必要項目が未記入の状態である書類を容易に作成可能にする。【解決手段】画像形成装置１は、画像形成部１８と、画像読取部１７と、画像読取部１７による原稿読取で得られた原稿画像から、予め定められたコードを抽出するコード抽出部２２と、当該抽出されたコードに対応付けられた位置マーカー画像と、位置マーカー画像に対して予め定められた位置に配置されたマスク画像を取得する対応画像取得部２３と、上記原稿画像に含まれる位置マーカー画像に一致する画像の位置と、上記取得された位置マーカー画像の位置を一致させて、原稿の画像の上に位置マーカー画像及びマスク画像を重ね合わせる画像処理部２４と、当該重ね合わせが行われた画像を画像形成部１８により記録紙上に形成させる制御部２１と、を備える。【選択図】図２
2018006833.tif 000002
【特許請求の範囲】
【請求項１】
記録媒体上に画像を形成する画像形成部と、
原稿の画像を読み取る画像読取部と、
前記画像読取部による原稿読取で得られた原稿画像から、予め定められたコードを抽出するコード抽出部と、
前記コード抽出部によって抽出されたコードに対応付けられた、位置決め用の位置マーカー画像と、前記位置マーカー画像に対して予め定められた位置に配置されたマスキング用のマスク画像を取得する対応画像取得部と、
前記画像読取部による原稿読取で得られた原稿画像に含まれる前記位置マーカー画像に一致する画像の位置と、前記対応画像取得部によって取得された前記位置マーカー画像の位置を一致させて、前記原稿画像の上から前記位置マーカー画像及び前記マスク画像を重ね合わせる画像処理部と、
前記画像処理部により前記重ね合わせが行われた画像を前記画像形成部により前記記録媒体上に形成させる制御部と、を備える画像形成装置。
【請求項２】
前記画像処理部は、前記位置マーカー画像及び前記マスク画像を前記原稿画像上に重ね合わせる前に、前記原稿画像の傾斜を補正する請求項１に記載の画像形成装置。
【請求項３】
ネットワークを通じて、データを送受信する通信部を更に備え、
前記対応画像取得部は、前記通信部を介して、前記コードに対応する前記マスク画像及び前記位置マーカー画像を取得する請求項１又は請求項２に記載の画像形成装置。
【請求項４】
前記コードに対応付けられた前記位置マーカー画像及び前記マスク画像を記憶する合成用画像記憶部を更に備え、
前記対応画像取得部は、前記コードに対応する前記マスク画像及び前記位置マーカー画像の取得を、前記合成用画像記憶部から読み出すことにより行う請求項１又は請求項２に記載の画像形成装置。
【請求項５】
前記合成用画像記憶部に前記コードを更に記憶し、
予め定められた書式を示す書式画像を記憶する書式画像記憶部を更に備え、
前記制御部は、前記書式画像記憶部に記憶されている前記書式画像を前記画像形成部により前記記録媒体上に形成させるとき、前記合成用画像記憶部に記憶されている前記コードと、前記コードに対応付けられた前記位置マーカー画像とを、前記記録媒体上に形成させる請求項１乃至請求項４のいずれかに記載の画像形成装置。
【請求項６】
前記コードは、ＱＲコードである請求項１乃至請求項５のいずれかに記載の画像形成装置。
【請求項７】
コンピューターを、
画像読取部による原稿読取で得られた原稿画像から、予め定められたコードを抽出するコード抽出部と、
前記コード抽出部によって抽出されたコードに対応付けられた、位置決め用の位置マーカー画像と、前記位置マーカー画像に対して予め定められた位置に配置されたマスキング用のマスク画像を取得する対応画像取得部と、
前記画像読取部による原稿読取で得られた原稿画像に含まれる前記位置マーカー画像に一致する画像の位置と、前記対応画像取得部によって取得された前記位置マーカー画像の位置を一致させて、前記原稿画像の上から前記位置マーカー画像及び前記マスク画像を重ね合わせる画像処理部と、
前記画像処理部により前記重ね合わせが行われた画像を画像形成部により記録媒体上に形成させる制御部と、して機能させる画像処理プログラム。
【発明の詳細な説明】
【技術分野】
【０００１】
本発明は、原稿の画像を読み取って記録紙に形成する際に、読み取った原稿の画像を加工する技術に関する。
【背景技術】
【０００２】
画像形成装置は、原稿の画像をスキャンして読み取り、この原稿の画像を記録紙に形成するが、当該画像形成装置には、読み取った画像や、画像形成の対象とする画像に、マスキングを行うことが可能なものがある。例えば、特許文献１には、ポインティングデバイスの操作によりディスプレイ装置に表示されている画像の秘匿領域が指定されると、秘匿領域のみを表して他の領域を一色で表すマスクデータを生成し、当該マスクデータを用いて、秘匿領域のみを示し、他の領域を一色で示した画像データを生成する技術が示されている。
【先行技術文献】
【特許文献】
【０００３】
【特許文献１】特許４８６３０２５号公報
【発明の概要】
【発明が解決しようとする課題】
【０００４】
ところで、必要項目を記入させるための予め定められた様式の書類(例えば、各種届出用紙等)に、既に必要項目が記入された後、未記入の当該書類が必要になる場合がある。このような場合、未記入の当該書類を発行者から改めて手に入れる必要があり、手間や時間を要する。ここで、例えば、特許文献１の技術を応用して、ポインティングデバイスにより既に記入されている書類の記入領域を指定し、この記入領域のマスクデータを生成して、マスクデータにより該記入領域を空白にすることが考えられるが、その作業を複数の記入領域に対して逐次行う場合は、煩雑な作業が必要となる。このため、既に記入済の当該書類から、未記入の書類を容易に作成できることが望ましいが、従来は、そのような技術が提案されていなかった。
【０００５】
本発明は、上記の事情に鑑みてなされたものであり、既に必要項目が記入されている書類を読み取って、この書類から必要項目が未記入の状態である書類を容易に作成可能にすることを目的とする。
【課題を解決するための手段】
【０００６】
本発明の一局面にかかる画像形成装置は、記録媒体上に画像を形成する画像形成部と、原稿の画像を読み取る画像読取部と、前記画像読取部による原稿読取で得られた原稿画像から、予め定められたコードを抽出するコード抽出部と、前記コード抽出部によって抽出されたコードに対応付けられた、位置決め用の位置マーカー画像と、前記位置マーカー画像に対して予め定められた位置に配置されたマスキング用のマスク画像を取得する対応画像取得部と、前記画像読取部による原稿読取で得られた原稿画像に含まれる前記位置マーカー画像に一致する画像の位置と、前記対応画像取得部によって取得された前記位置マーカー画像の位置を一致させて 、前記原稿画像の上から前記位置マーカー画像及び前記マスク画像を重ね合わせる画像処理部と、前記画像処理部により前記重ね合わせが行われた画像を前記画像形成部により前記記録媒体上に形成させる制御部と、を備えるものである。
【０００７】
また、本発明の一局面にかかる画像処理プログラムは、コンピューターを、画像読取部による原稿読取で得られた原稿画像から、予め定められたコードを抽出するコード抽出部と、前記コード抽出部によって抽出されたコードに対応付けられた、位置決め用の位置マーカー画像と、前記位置マーカー画像に対して予め定められた位置に配置されたマスキング用のマスク画像を取得する対応画像取得部と、前記画像読取部による原稿読取で得られた原稿画像に含まれる前記位置マーカー画像に一致する画像の位置と、前記対応画像取得部によって取得された前記位置マーカー画像の位置を一致させて、前記原稿画像の上から前記位置マーカー画像及び前記マスク画像を重ね合わせる画像処理部と、前記画像処理部により前記重ね合わせが行われた画像を画像形成部により記録媒体上に形成させる制御部と、して機能させるものである。
【発明の効果】
【０００８】
本発明によれば、既に必要項目が記入されている書類を読み取って、この書類から必要項目が未記入の書類を容易に作成することができる。
【図面の簡単な説明】
【０００９】
【図１】本発明の一実施形態にかかる画像形成装置を示す断面図である。
【図２】本実施形態の画像形成装置の構成を示すブロック図である。
【図３】必要項目を記入させるための予め定められた様式の書類であって、必要項目が未記入の状態を例示する図である。
【図４】既に必要項目が人により既に記入されている原稿を例示する図である。
【図５】既に必要項目が記入されている予め定められた様式の原稿から必要項目未記入の原稿を生成する処理を示すフローチャートである。
【図６】画像形成装置の操作部及び表示部を示す平面図である。
【図７】（ａ）は傾斜した原稿を示す図であり、（ｂ）は傾斜が修正された原稿を示す図である。
【図８】ＱＲコード（登録商標）に関連付けられた複数のマスク画像及び３つの位置マーカー画像を例示する図である。
【図９】マスク画像及び位置マーカーを原稿の画像に重ね合わせた状態を示す図である。
【発明を実施するための形態】
【００１０】
以下、本発明に係る画像形成装置及び画像処理プログラムの一実施形態について図面を参照して説明する。図１は、本発明の実施形態にかかる画像形成装置を示す断面図である。図２は、本実施形態の画像形成装置の構成を示すブロック図である。
【００１１】
本実施形態の画像形成装置１は、例えば、コピー機能、プリンター機能、スキャナー機能、及びファクシミリ機能のような複数の機能を兼ね備えたＭＦＰ（複合機）である。この画像形成装置１は、制御ユニット１１と、表示部１２と、画像メモリー１３と、操作部１４と、タッチパネル１５と、通信部１６と、画像読取部１７と、画像形成部１８と、記憶部１９とを備えている。これらの構成要素は、互いにバスを通じてデータ又は信号の送受信を可能とされている。
【００１２】
画像読取部１７は、原稿を光学的に読み取るスキャナーを有し、読み取った原稿の画像を示す画像データを生成し、この画像データを画像メモリー１３や記憶部１９に記憶させる。
【００１３】
画像形成部１８は、感光体ドラム２０の表面を均一帯電させ、感光体ドラム２０の表面を露光して、感光体ドラム２０の表面に静電潜像を形成し、感光体ドラム２０の表面の静電潜像をトナー像に現像して、感光体ドラム２０の表面のトナー像（画像）を、中間転写ベルトを介して記録紙に転写し、記録紙上のトナー像を定着させ、記録紙を排出する。例えば、画像読取部１７で生成された画像データによって示される画像を記録紙に印刷する。
【００１４】
表示部１２は、液晶ディスプレイ（ＬＣＤ：Liquid Crystal Display）や有機ＥＬ（ＯＬＥＤ：Organic Light-Emitting Diode）ディスプレイなどから構成される。
【００１５】
表示部１２の画面には、タッチパネル１５が配置されている。タッチパネル１５は、所謂抵抗膜方式や静電容量方式などのタッチパネルであって、タッチパネル１５に対するユーザーの指などの接触（タッチ）をその接触位置とともに検知して、その接触位置の座標を示す検知信号を制御ユニット１１の後述する制御部２１などに出力する。従って、タッチパネル１５は、表示部１２の画面に対するユーザー操作が入力される操作部としての役割を果たす。
【００１６】
操作部１４は、決定キー、スタートキーなどのハードキーを備えている。
【００１７】
通信部１６は、通信モジュールを備える通信インターフェイスである。
【００１８】
記憶部１９は、ＨＤＤ（Hard Disk Drive）などの大容量の記憶装置である。
【００１９】
制御ユニット１１は、プロセッサー、ＲＡＭ(Random Access Memory）、及びＲＯＭ（Read Only Memory）などから構成される。プロセッサーは、例えば、ＣＰＵ（Central Processing Unit）、ＭＰＵ、ＡＳＩＣ等である。この制御ユニット１１は、上記のＲＯＭまたは記憶部１９に記憶された画像処理プログラムが上記のプロセッサーにより実行されることにより、制御部２１、コード抽出部２２、対応画像取得部２３、及び画像処理部２４として機能する。なお、制御ユニット１１の制御部２１、コード抽出部２２、対応画像取得部２３、及び画像処理部２４は、プログラムに基づく動作によらず、それぞれハード回路により構成されてもよい。
【００２０】
制御部２１は、画像形成装置１の全体的な動作制御を司る。制御部２１は、タッチパネル１５から出力される検知信号に基づき、タッチパネル１５に対するユーザー操作を受け付ける機能を有する。また、制御部２１は、操作部１４のハードキーに対するユーザー操作を受け付ける機能を有する。
【００２１】
また、制御部２１は、表示部１２の動作を制御する。制御部２１は、例えば、画像形成処理に必要な設定項目の入力画面、情報の入力画面、あるいは画像形成装置１の操作ガイダンスなどを表示させる。
【００２２】
さらに、制御部２１は、通信部１６による通信動作を制御する機能を有する。通信部１６は、制御部２１による制御のもと、ネットワークを通じて、サーバーやＰＣなどとの間でデータを送受する。
【００２３】
コード抽出部２２は、画像読取部１７による原稿読取で得られた原稿画像から、例えばパターンマッチング技術により、予め定められたコードを抽出する。このコードは、例えば、ＱＲコードである。
【００２４】
対応画像取得部２３は、コード抽出部２２によって抽出されたコードに対応付けられた、位置決め用の位置マーカー画像と、当該位置マーカー画像に対して予め定められた位置に配置されたマスキング用のマスク画像を取得する。上記コードに対応付けられたマスク画像は特に限定されないが、本実施形態では、マスク画像は複数とされている。本実施形態では、対応画像取得部２３は、通信部１６を介して、画像形成装置１にインターネット又はＬＡＮによりネットワーク接続されているサーバー等から、上記コードに対応付けられているマスク画像及び位置マーカー画像を取得する。上記サーバー等を示す情報は、当該コードに含まれている。
【００２５】
但し、上記コードに対応付けられているマスク画像及び位置マーカー画像は、記憶部(特許請求の範囲における合成用画像記憶部の一例)１９に記憶されており、対応画像取得部２３は、当該記憶部１９から、上記コードに対応付けられているマスク画像及び位置マーカー画像を読み出して取得するようにしてもよい。
【００２６】
また、制御部２１による上記画像処理プログラムの実行で、制御ユニット１１が、上記コードに対応付けられているマスク画像及び位置マーカー画像を記憶する合成用画像記憶部として機能し、対応画像取得部２３は、当該記憶部から、上記コードに対応付けられているマスク画像及び位置マーカー画像を読み出して取得するようにしてもよい。
【００２７】
上記コードは、後述する、予め定められた複数の様式のそれぞれの書類(例えば、各種届出用紙等)毎に設けられている。すなわち、異なる様式の各書類について、それぞれの上記マスク画像及び位置マーカー画像が設けられ、上記サーバー、記憶部１９、又は合成用画像記憶部に記憶されている。
【００２８】
画像処理部２４は、画像読取部１７による原稿読取で得られた原稿画像など、画像メモリー１３内の画像データに対して各種の画像処理を施す。画像処理部２４は、画像読取部１７による原稿読取で得られた原稿画像に含まれる位置マーカー画像に一致する画像の位置と、対応画像取得部２３によって取得された上記位置マーカー画像の位置とを一致させて、原稿画像の上から位置マーカー画像及びマスク画像を重ね合わせる画像処理を行う。制御部２１は、画像処理部２４によりこのように重ね合わせが行われた画像を、画像形成部１８により記録紙(記録媒体の一例)上に形成させる。
【００２９】
ここで、本実施形態の画像形成装置１では、必要項目を記入させるための予め定められた様式の書類(例えば、各種届出用紙等)であって、当該必要項目が記入済みの書類を画像読取部１７により読み取り、読み取った書類の画像から未記入の当該書類の画像を生成して、この未記入の書類の画像を画像形成部１８により記録紙に形成する。すなわち、画像形成装置１は、既に記入されている書類から未記入の書類を作成する。当該書類について説明する。
【００３０】
図３は、必要項目を記入させるための予め定められた様式の書類（以下原稿と称す）Ｇ１であって、必要項目が未記入の状態を例示する図である。図４は、既に必要項目が人により既に記入されている原稿Ｇ２を例示する図である。
【００３１】
図３に示すように、原稿Ｇ１には、複数の記入欄３１が設けられている。また、原稿Ｇ１の左上の箇所には、上記コードの一例としてのＱＲコード（登録商標）３２が印刷されている(以下、当該コードをＱＲコードとして説明する)。また、原稿Ｇ１の３つの角の箇所には、それぞれ位置決め用の位置マーカー画像３３が印刷されている。３つの位置マーカー画像３３は、各記入欄３１に対して予め定められた位置に配置されている。
【００３２】
例えば、画像形成装置１では、制御部２１が画像形成部１８に、上記予め定められた様式を示す文字や罫線等の画像、当該ＱＲコードを示す画像、及び位置マーカー画像を記録紙上に形成させる。これにより、必要項目未記入の原稿Ｇ１を作成する。例えば、必要項目未記入の原稿Ｇ１の作成時には、対応画像取得部２３が、ユーザーから印刷を指示された上記予め定められた様式を示す文字や罫線等の画像、これに対応付けられたＱＲコードの画像及び当該ＱＲコードに対応付けられた位置マーカー画像を、通信部１６を介して上記サーバーから取得して、制御部２１が画像形成部１８に記録紙上に画像形成させる。対応画像取得部２３は、一旦取得したＱＲコードの画像及び位置マーカー画像の画像は、記憶部１９に記憶させておくことが好ましい。なお、上記ユーザーから印刷を指示された上記予め定められた様式を示す文字や罫線等の画像、これに対応付けられたＱＲコードの画像及び当該ＱＲコードに対応付けられた位置マーカー画像は、最初から上述した記憶部１９又は合成用画像記憶部に記憶されているものとし、対応画像取得部２３は、これらの画像を記憶部１９又は合成用画像記憶部から取得するものとしてもよい。
【００３３】
本実施形態では、図４に示すような、必要項目記入済みの原稿Ｇ２を画像読取部１７により読み取り、原稿Ｇ２から抽出されるＱＲコード３２を示す画像及び３つの位置マーカー画像３３に基づいて、原稿Ｇ２の画像における各記入欄３１の書き込みを消去し、図３に示すような未記入の原稿Ｇ１の画像を生成し、この未記入の原稿Ｇ１の画像を画像形成部１８により記録紙に形成する。
【００３４】
次に、上記のように既に必要項目が記入されている予め定められた様式の原稿Ｇ２から必要項目未記入の原稿Ｇ１を生成する処理を説明する。図５は、既に必要項目が記入されている予め定められた様式の原稿Ｇ２から必要項目未記入の原稿Ｇ１を生成する処理を示すフローチャートである。
【００３５】
まず、画像形成装置１の表示部１２の画面には、図６に示すようにそれぞれの機能に対応付けられた複数のタッチキー４１ａ〜４１ｈ等が表示されているものとする。この状態で、ユーザーが未記入原稿の生成に対応するタッチキー４１ｈをタッチ操作し、タッチパネル１５によりタッチキー４１ｈに対するタッチ操作が検出されて、このタッチ操作に対応する指示としての未記入原稿生成指示が制御部２１に受け付けられると、制御部２１は、未記入原稿Ｇ１を生成するために上記画像処理プログラムを起動させる（ステップＳ１０１）。
【００３６】
続いて、ユーザーが、既に必要項目が記入されている原稿Ｇ２を画像読取部１７にセットして、操作部１４のスタートキーを操作すると、これにより原稿読取指示が制御部２１に受け付けられ、制御部２１は、画像読取部１７に原稿Ｇ２の画像を読み取らせ、読み取られた原稿Ｇ２の画像を示す画像データを画像メモリー１３に記憶させる（ステップＳ１０２）。
【００３７】
続いて、コード抽出部２２は、画像メモリー１３に記憶されている原稿Ｇ２の画像から、ＱＲコード３２に相当する画像の抽出を試みる（ステップＳ１０３）。
【００３８】
ここで、コード抽出部２２が、原稿Ｇ２の画像からＱＲコード３２に相当する画像を抽出できない場合（ステップＳ１０３でＮＯ）、処理は終了する。
【００３９】
一方、コード抽出部２２が、原稿Ｇ２の画像からＱＲコード３２に相当する画像を抽出できた場合には（ステップＳ１０３でＹＥＳ）、画像処理部２４は、原稿Ｇ２の画像が傾斜しているか否かを判定する（ステップＳ１０４）。
【００４０】
そして、画像処理部２４は、原稿Ｇ２の画像が傾斜していると判定すると（ステップＳ１０４で「Ｙｅｓ」）、原稿Ｇ２の画像の傾斜を補正する（ステップＳ１０５）。例えば、図７（ａ）に示すように、読み取った原稿Ｇ２の画像が傾斜している場合、画像処理部２４は、図７（ｂ）に示すように、原稿Ｇ２の画像の傾斜をなくし、水平な状態となるように補正する。
【００４１】
また、画像処理部２４は、傾斜していないと判定すると（ステップＳ１０４で「Ｎｏ」）、ステップＳ１０５の傾斜補正処理を行わない。
【００４２】
原稿Ｇ２の画像についての上記傾斜の判定及び補正は、既知の方法で行うことができる。例えば、画像処理部２４は、例えばパターンマッチング等により、画像メモリー１３に記憶されている原稿Ｇ２の画像から各位置マーカー画像３３を抽出して、既知の方法により、位置マーカー画像部分３３１が、縦方向(ｙ方向)に真っ直ぐ延びる画像として画像メモリー１３に予め保有している縦基準画像に対して傾斜しているか、又は／及び位置マーカー画像部分３３２が、横方向(ｘ方向)に真っ直ぐ延びる画像として画像メモリー１３に予め保有している横基準画像に対して傾斜しているかに応じて、原稿Ｇ２の画像についての傾斜有無を判定する。
【００４３】
画像処理部２４は、原稿Ｇ２の画像が傾斜していると判定した場合、これらの位置マーカー画像部分３３１が上記縦基準画像と平行になるように、又は／及び位置マーカー画像部分３３２が上記横基準画像に平行になるように、原稿Ｇ２の画像を回転させる。あるいは、画像処理部２４は、原稿Ｇ２の縁を示す画像を検出して、この縁を示す画像の傾斜を上記縦基準画像及び／又は横基準画像に基づいて判定し、この縁を示す画像が、上記縦基準画像及び／又は上記横基準画像と平行になるように、原稿Ｇ２の画像を回転させてもよい。
【００４４】
続いて、対応画像取得部２３は、上記抽出された画像が示すＱＲコード３２を解析して、アクセス先とするサーバー等と、当該サーバー等から取得する対象とするマスク画像及び位置マーカー画像を特定する。すなわち、ＱＲコード３２は、上記サーバー、上記取得対象とするマスク画像及び位置マーカー画像を示す情報を含んでいる。そして、対応画像取得部２３は、通信部１６を介して、インターネット又はＬＡＮ上の上記サーバーにアクセスし、当該サーバー等から、上記ＱＲコード３２に関連付けられた上記マスク画像及び位置マーカーを取得する（ステップＳ１０６）。
【００４５】
例えば、ＱＲコード３２は、インターネット上のサーバーを示すアドレス、又はウェブページを示すＵＲＬ（Uniform Resource Locator）を示している。対応画像取得部２３は、ＱＲコード３２を解析して、上記アドレス又はＵＲＬを取得し、通信部１６を制御して、そのサーバー又はウェブページにアクセスし、ＱＲコード３２が示すマスク画像及び位置マーカーを該サーバー又はウェブページから取得する。
【００４６】
図８は、ＱＲコード３２に関連付けられた複数のマスク画像５１及び３つの位置マーカー画像５２を例示する図である。複数のマスク画像５１は、図４に示す必要項目記入済みの原稿Ｇ２の各記入欄３１をマスクするための画像である。マスク画像５１は、例えば、白等の原稿Ｇ１の作成に用いられる記録紙の地肌と同一色によるべた塗りの画像である。複数のマスク画像５１は、それぞれ、各位置マーカー画像５２に対する予め定められた位置に配置されている。また、ＱＲコード３２に関連付けられた複数のマスク画像５１は、記入欄３１に対応する位置に配置されている。３つの位置マーカー画像５２は、後述する画像重ね合わせ時の位置決めに用いられるためのものである。また、各マスク画像５１の上下方向(ｙ方向)及び左右方向(ｘ方向)の位置関係は、位置マーカー画像５２を、ＱＲコード３２に対応付けられている様式と同一の様式からなる原稿Ｇ２の画像に重ね合わせたときに、図３に示す３つの位置マーカー画像３３に対する各記入欄３１の上下方向(ｙ方向)及び左右方向(ｘ方向)の位置関係に等しい。
【００４７】
なお、本実施形態でいう原稿Ｇ２の画像に対するマスク画像５１及び位置マーカー画像５２の重ね合わせとは、例えば、原稿Ｇ２の画像、すなわち、原稿Ｇ２における記入欄３１及び位置マーカー画像３３の画像を、マスク画像５１及び位置マーカー画像５２に置き換えることをいう。
【００４８】
画像処理部２４は、対応画像取得部２３によりＱＲコード３２に関連付けられたマスク画像５１及び３つの位置マーカー画像５２が取得されると、当該マスク画像５１及び３つの位置マーカー画像５２を、画像メモリー１３内の領域に展開されている原稿Ｇ２の画像に重ね合わせる（ステップＳ１０７）。このとき、画像メモリー１３内の領域においては、当該取得された３つの位置マーカー画像５２が、原稿Ｇ２の画像に含まれる３つの位置マーカー画像３３の位置に配置されることで、マスク画像５１及び３つの位置マーカー画像５２が位置決めされて、原稿Ｇ２の画像に重ね合わせられる。なお。画像処理部２４は、３つの位置マーカー画像３３の位置検出を、例えば３つの位置マーカー画像５２に一致する画像をパターンマッチング等により検出する等により行う。
【００４９】
上記抽出されたＱＲコード３２は、原稿Ｇ２の様式毎に設けられているため、当該ＱＲコード３２に対応付けられた位置マーカー画像５２を、原稿Ｇ２の画像における位置マーカー画像３３の位置に配置することで、当該ＱＲコード３２に対応付けられた各マスク画像５１が原稿Ｇ２の各記入欄３１の位置に配置されることになる。
【００５０】
すなわち、原稿Ｇ１と原稿Ｇ２は様式が同じであれば、同一のＱＲコード３２を有し、ＱＲコード３２に対応付けられたマスク画像及び位置マーカー画像も同一である。従って、対応画像取得部２３により取得された３つの位置マーカー画像５２に対する各マスク画像５１の上下左右の位置関係は、原稿Ｇ２から抽出された３つの位置マーカー画像３３に対する各記入欄３１の上下左右の位置関係に等しい。
【００５１】
これにより、対応画像取得部２３により取得された３つの位置マーカー画像５２の位置を、原稿Ｇ２に含まれる３つの位置マーカー画像３３の位置に配置すると、各マスク画像５１が原稿Ｇ２における各記入欄３１に重なる。図９に例を示すように、原稿Ｇ２における記入欄３１の書き込みを示すそれぞれの画像が、マスク画像５１の画像に置き換えられ、画像メモリー１３内には、図３に示す未記入の原稿Ｇ１の画像が生成される。これにより、原稿Ｇ２における記入欄３１の書き込みを示す画像が消去される。
【００５２】
なお、上記重ね合わせ時に、画像処理部２４は、原稿Ｇ２の画像、又はマスク画像５１及び３つの位置マーカー画像５２の一方を、拡大又は縮小処理することにより、３つの位置マーカー画像５２の位置を、３つの位置マーカー画像３３の位置に一致させるようにしてもよい。
【００５３】
このようにして、画像メモリー１３内に、図３に示すような必要項目が未記入の原稿Ｇ１と同様の画像が生成されると、制御部２１は、画像形成部１８を制御して、画像形成部１８により当該原稿Ｇ１と同様の画像を記録紙に形成させる（ステップＳ１０８）。この結果、既に必要項目が記入された原稿Ｇ２から、必要項目未記入の原稿Ｇ１を作成して、ユーザーに提供することが可能になる。
【００５４】
このように本実施形態によれば、既に必要項目が記入された原稿Ｇ２の画像に含まれるＱＲコード３２を抽出して、ＱＲコード３２に関連付けられたマスク画像５１及び３つの位置マーカー画像５２を取得し、３つの位置マーカー画像５２の位置を、既に必要項目が記入された原稿Ｇ２における位置マーカー画像３３の位置に配置して、マスク画像５１及び３つの位置マーカー画像５２を原稿Ｇ２の画像に重ね合わせることで、原稿Ｇ２の画像における各記入欄３１への必要項目の書き込みを示す画像を消去し、必要項目が未記入の原稿Ｇ２の画像を作成することができる。これにより、本実施形態によれば、既に必要項目が記入されている書類を読み取って、この書類から必要項目が未記入の状態である書類を容易に作成することができる。
【００５５】
また、他の実施形態として、ＱＲコード３２は、位置マーカー画像５２に対応付けられておらず、ＱＲコード３２に対応付けて、マスク画像５１と、原稿Ｇ２の画像における位置マーカー画像３３に対するマスク画像５１の位置情報を示す情報とが対応付けられており、これらが上記サーバー又は記憶部１９に記憶されているものとし、画像処理部２４は、上記重ね合わせ時に、原稿Ｇ２における位置マーカー画像３３に対するマスク画像５１の位置を上記位置情報から解析して、当該解析した位置における原稿Ｇ２の画像(すなわち、記入欄３１の画像)を、マスク画像５１に置き換えるようにしてもよい。
【００５６】
なお、図１乃至図９を用いて説明した上記実施形態の構成及び処理は、本発明の一例に過ぎず、本発明を当該構成及び処理に限定する趣旨ではない。
【符号の説明】
【００５７】
１        画像形成装置
１１      制御ユニット
１６      通信部
１７      画像読取部
１８      画像形成部
１９      記憶部
２１      制御部
２２      コード抽出部
２３      対応画像取得部
２４      画像処理部
３１      記入欄
３２      ＱＲコード
３３      位置マーカー画像
３３１    位置マーカー画像部分
３３２    位置マーカー画像部分
５１      マスク画像
５２      位置マーカー画像
Ｇ１      必要項目未記入の原稿
Ｇ２      必要項目記入済の原稿
【図１】
2018006833.tif 000003
【図２】
2018006833.tif 000004
【図３】
2018006833.tif 000005
【図４】
2018006833.tif 000006
【図５】
2018006833.tif 000007
【図６】
2018006833.tif 000008
【図７】
2018006833.tif 000009
【図８】
2018006833.tif 000010
【図９】
2018006833.tif 000011